(57)【要約】【課題】  レーザー光の光軸位置に関する不具合を生じることなくレーザー光の所望の強度分布の確保等を図る。【解決手段】  発光点からレーザー光をディスク状記録媒体１００へ向けて発光する発光素子９と、該発光素子から発光され対物レンズ８ａを介してディスク状記録媒体に照射され該ディスク状記録媒体で反射されたレーザー光の戻り光を受光する受光素子１６と、発光素子と対物レンズとの間の光路中に配置され発光素子から発光されたレーザー光をディスク状記録媒体の記録面に略平行な方向へ反射する反射手段１０とを設け、該反射手段における主光線の入射面が、ディスク状記録媒体の記録面に対して所定の角度傾くように、発光素子と反射手段を配置した。【選択図】図３
2006073156.tif 000002
【特許請求の範囲】
【請求項１】
ディスク状記録媒体に対して対物レンズを介してレーザー光を照射しディスク状記録媒体に対する情報信号の記録又は再生を行う光ピックアップであって、
発光点を有し該発光点からレーザー光をディスク状記録媒体へ向けて発光する発光素子と、
該発光素子から発光され対物レンズを介してディスク状記録媒体に照射され該ディスク状記録媒体で反射されたレーザー光の戻り光を受光する受光素子と、
発光素子と対物レンズとの間の光路中に配置され発光素子から発光されたレーザー光をディスク状記録媒体の記録面に略平行な方向へ反射する反射手段とを備え、
該反射手段における主光線の入射面が、ディスク状記録媒体の記録面に対して所定の角度傾くように、発光素子と反射手段が配置されている
ことを特徴とする光ピックアップ。
【請求項２】
上記発光素子の発光点は、上記反射手段による反射光の光軸を含みディスク状記録媒体の記録面に平行な平面と、ディスク状記録媒体の記録面と、の間になるように配置されている
ことを特徴とする請求項１に記載の光ピックアップ。
【請求項３】
上記発光素子及び受光素子は、パッケージに配設固定され、受発光素子を形成している
ことを特徴とする請求項１に記載の光ピックアップ。
【請求項４】
発光素子と反射手段がホルダに配置固定されている
ことを特徴とする請求項１に記載の光ピックアップ。
【請求項５】
ディスク状記録媒体に対して対物レンズを介してレーザー光を照射しディスク状記録媒体に対する情報信号の記録又は再生を行う光ピックアップを備えたディスクドライブ装置であって、
上記光ピックアップは、
発光点を有し該発光点からレーザー光をディスク状記録媒体へ向けて発光する発光素子と、
該発光素子から発光され対物レンズを介してディスク状記録媒体に照射され該ディスク状記録媒体で反射されたレーザー光の戻り光を受光する受光素子と、
発光素子と対物レンズとの間の光路中に配置され発光素子から発光されたレーザー光をディスク状記録媒体の記録面に略平行な方向へ反射する反射手段とを備え、
該反射手段における主光線の入射面が、ディスク状記録媒体の記録面に対して所定の角度傾くように、発光素子と反射手段が配置されている
ことを特徴とするディスクドライブ装置。
【請求項６】
上記発光素子の発光点は、上記反射手段による反射光の光軸を含みディスク状記録媒体の記録面に平行な平面と、ディスク状記録媒体の記録面と、の間になるように配置されている
ことを特徴とする請求項５に記載のディスクドライブ装置。
【請求項７】
上記発光素子及び受光素子は、パッケージに配設固定され、受発光素子を形成している
ことを特徴とする請求項５に記載のディスクドライブ装置。
【請求項８】
発光素子と反射手段がホルダに配置固定されている
ことを特徴とする請求項５に記載のディスクドライブ装置。
【発明の詳細な説明】
【技術分野】
【０００１】
本発明は光ピックアップ及びディスクドライブ装置についての技術分野に関する。詳しくは、発光素子と反射ミラーを一体に所定の方向へ回転し、レーザー光の光軸位置に関する不具合を生じることなくレーザー光の所望の強度分布の確保等を図る技術分野に関する。
【背景技術】
【０００２】
ディスク状記録媒体に対する情報信号の記録や再生を行うディスクドライブ装置があり、このようなディスクドライブ装置は、ディスクテーブルに装着されるディスク状記録媒体の半径方向へ移動し該ディスク状記録媒体に対して対物レンズを介してレーザー光を照射して情報信号の記録又は再生を行う光ピックアップを備えている。
【０００３】
レーザー光は発光素子（半導体レーザー）から発光されるが、レーザー光は方向によって光強度が異なる所定の強度分布を有している。レーザー光がディスク状記録媒体の記録トラックに集光されたときには、光強度は、ディスク状記録媒体の半径方向、即ち、光ピックアップの移動方向においては、隣接する記録トラックへの書込である所謂クロスライトの低減や記録トラックのアドレス検出性能の向上に寄与し、ディスク状記録媒体の半径方向に直交する接線方向においては、ＲＦ信号の記録再生特性の向上に寄与することが知られている。
【０００４】
従って、光ピックアップにあっては、上記した記録トラックの半径方向と接線方向におけるバランスを確保するために、記録トラックに集光されるレーザー光の光強度が記録トラックの接線方向に対して斜め方向に高くなるように設定することが望ましい。
【０００５】
そこで、従来の光ピックアップにあっては、半導体基板上に配置されレーザーチップが搭載されたサブマウントに、レーザーチップから発光されるレーザー光を９０°反射させる立ち上げミラー部を設け、レーザーチップを半導体基板に対して斜めに位置するように配置し、レーザー光の偏光方向を上記接線方向に対して所定の角度、例えば、４５°の角度となるようにしたものがある（例えば、特許文献１参照）。尚、レーザーチップは特許文献１においては半導体レーザー６として示されている。
【０００６】
【特許文献１】特開２００４−２０６８３８号公報
【発明の開示】
【発明が解決しようとする課題】
【０００７】
ところで、ラップトップ型のパーソナルコンピュータ等に搭載されている薄型の光ディスクドライブに用いられるような超薄型の光ピックアップにおいて、所謂ＣＡＮパッケージタイプの半導体レーザーａは、図１３に示すように、平板状のベース部ｂと該ベース部ｂに取り付けられた配置部ｃとを有し、該配置部ｃの内部にレーザー光を発光する発光点を有し、ベース部ｂは略小判状に形成され、周縁が平行な２つの長縁部ｄ、ｄと該長縁部ｄ、ｄ間に連続する円弧部ｅ、ｅとによって構成されている。
【０００８】
半導体レーザーａは、上記のように、ベース部ｂが略小判状に形成されているが、ベース部ｂを円形状ではなく小判状に形成することにより、発光点からベース部ｂの光ピックアップにおける厚み方向の最外形部分までの寸法が小さくなるようにし、光ピックアップの薄型化を図るようにしている。
【０００９】
光ピックアップｆにおいては、図１４に示すように、半導体レーザーａから出射されたレーザー光が、コリメーターレンズ等の所定の光学部品ｇ、ｈ、ｉ等を介して立ち上げミラーｊに入射され、該立ち上げミラーｊによって立ち上げられて対物レンズｋによって集光されてディスク状記録媒体ｌに照射される。
【００１０】
このような光ピックアップｆにおいて薄型化を図るためには、半導体レーザーａ、各光学部品ｇ、ｈ、ｉ、立ち上げミラーｊ等が所定の面（予め定められた最下面Ｓ）よりディスク状記録媒体ｌ側に配置されていることが必要であるが、ディスク状記録媒体ｌに照射されるレーザー光は立ち上げミラーｊによって立ち上げられるため、対物レンズｋが配置される分、半導体レーザーａや各光学部品ｇ、ｈ、ｉとディスク状記録媒体ｌとの間には一定の空間を有している。
【００１１】
上記のような半導体レーザーａを有する光ピックアップにおいて、特許文献１と同様に、レーザー光の偏光方向をディスク状記録媒体の接線方向に対して、例えば、４５°の角度となるようにし、記録トラックの半径方向と接線方向におけるレーザー光の強度分布のバランスを確保するためには、半導体レーザーａを光軸の軸回り方向へ回転させてレーザー光の偏光方向が所望の向きになるように調整すればよい。
【００１２】
ところが、半導体レーザーａを光軸の軸回り方向へ回転しようとすると、ベース部ｂが小判状に形成されているため、ベース部ｂの長縁部ｄが移動ベースから大きく浮き上がってしまい、光軸の位置が移動ベースから離隔する方向へ変位してしまう。
【００１３】
従って、レーザー光の光軸の位置の変位により、他の光学部品の配置位置に関する大幅な設計変更が必要とされると共に光ピックアップの薄型化を阻害する要因となってしまう。
【００１４】
そこで、本発明光ピックアップ及びディスクドライブ装置は、上記した問題点を克服し、レーザー光の光軸位置に関する不具合を生じることなくレーザー光の所望の強度分布の確保等を図ることを課題とする。
【課題を解決するための手段】
【００１５】
本発明光ピックアップ及びディスクドライブ装置は、上記した課題を解決するために、発光点を有し該発光点からレーザー光をディスク状記録媒体へ向けて発光する発光素子と、該発光素子から発光され対物レンズを介してディスク状記録媒体に照射され該ディスク状記録媒体で反射されたレーザー光の戻り光を受光する受光素子と、発光素子と対物レンズとの間の光路中に配置され発光素子から発光されたレーザー光をディスク状記録媒体の記録面に略平行な方向へ反射する反射手段とを設け、該反射手段における主光線の入射面が、ディスク状記録媒体の記録面に対して所定の角度傾くように、発光素子と反射手段を配置したものである。
【００１６】
従って、本発明光ピックアップ及びディスクドライブ装置にあっては、発光素子から発光されたレーザー光の強度分布が発光素子と反射ミラーの回転角度に応じて変更される。
【発明の効果】
【００１７】
本発明光ピックアップは、ディスク状記録媒体に対して対物レンズを介してレーザー光を照射しディスク状記録媒体に対する情報信号の記録又は再生を行う光ピックアップであって、発光点を有し該発光点からレーザー光をディスク状記録媒体へ向けて発光する発光素子と、該発光素子から発光され対物レンズを介してディスク状記録媒体に照射され該ディスク状記録媒体で反射されたレーザー光の戻り光を受光する受光素子と、発光素子と対物レンズとの間の光路中に配置され発光素子から発光されたレーザー光をディスク状記録媒体の記録面に略平行な方向へ反射する反射手段とを備え、該反射手段における主光線の入射面が、ディスク状記録媒体の記録面に対して所定の角度傾くように、発光素子と反射手段が配置されていることを特徴とする。
【００１８】
従って、反射手段から立ち上げミラーまでの光軸の高さを変化させることなくディスク状記録媒体の記録トラックに対するレーザー光の所望の強度分布を確保することができる。
【００１９】
また、ディスク状記録媒体の記録トラックに対するレーザー光の所望の強度分布を確保することができるため、光ピックアップの移動ベースに配置される各光学部品の配置に関する自由度の向上を図ることができる。
【００２０】
請求項２に記載した発明にあっては、上記発光素子の発光点を、上記反射手段による反射光の光軸を含みディスク状記録媒体の記録面に平行な平面と、ディスク状記録媒体の記録面と、の間になるように配置したので、反射手段から立ち上げミラーまでの光軸の高さを上げず光ピックアップの薄型化に支障を来たすことなくディスク状記録媒体の記録トラックに対するレーザー光の所望の強度分布を確保することができる。
【００２１】
請求項３に記載した発明にあっては、上記発光素子及び受光素子は、パッケージに配設固定され、受発光素子を形成しているので、光ピックアップの部品点数の低減や薄型化を図ることができる。
【００２２】
請求項４に記載した発明にあっては、発光素子と反射手段がホルダに配置固定されているので、レーザー光の光軸調整の容易化を図ることができる。
【００２３】
本発明ディスクドライブ装置は、ディスク状記録媒体に対して対物レンズを介してレーザー光を照射しディスク状記録媒体に対する情報信号の記録又は再生を行う光ピックアップを備えたディスクドライブ装置であって、上記光ピックアップは、発光点を有し該発光点からレーザー光をディスク状記録媒体へ向けて発光する発光素子と、該発光素子から発光され対物レンズを介してディスク状記録媒体に照射され該ディスク状記録媒体で反射されたレーザー光の戻り光を受光する受光素子と、発光素子と対物レンズとの間の光路中に配置され発光素子から発光されたレーザー光をディスク状記録媒体の記録面に略平行な方向へ反射する反射手段とを備え、該反射手段における主光線の入射面が、ディスク状記録媒体の記録面に対して所定の角度傾くように、発光素子と反射手段が配置されていることを特徴とする。
【００２４】
従って、反射手段から立ち上げミラーまでの光軸の高さを変化させることなくディスク状記録媒体の記録トラックに対するレーザー光の所望の強度分布を確保することができる。
【００２５】
また、ディスク状記録媒体の記録トラックに対するレーザー光の所望の強度分布を確保することができるため、光ピックアップの移動ベースに配置される各光学部品の配置に関する自由度の向上を図ることができる。
【００２６】
請求項６に記載した発明にあっては、上記発光素子の発光点を、上記反射手段による反射光の光軸を含みディスク状記録媒体の記録面に平行な平面と、ディスク状記録媒体の記録面と、の間になるように配置したので、反射手段から立ち上げミラーまでの光軸の高さを上げず光ピックアップの薄型化に支障を来たすことなくディスク状記録媒体の記録トラックに対するレーザー光の所望の強度分布を確保することができる。
【００２７】
請求項７に記載した発明にあっては、上記発光素子及び受光素子は、パッケージに配設固定され、受発光素子を形成しているので、ディスクドライブ装置の部品点数の低減や薄型化を図ることができる。
【００２８】
請求項８に記載した発明にあっては、発光素子と反射手段がホルダに配置固定されているので、レーザー光の光軸調整の容易化を図ることができる。
【発明を実施するための最良の形態】
【００２９】
以下に、本発明光ピックアップ及びディスクドライブ装置の最良の形態を添付図面に従って説明する。
【００３０】
ディスクドライブ装置１は、外筐２内に所要の各部材及び各機構が配置されて成り（図１参照）、外筐２には図示しないディスク挿入口が形成されている。
【００３１】
外筐２内には図示しないシャーシが配置され、該シャーシに取り付けられたスピンドルモーターのモーター軸にディスクテーブル３が固定されている。
【００３２】
シャーシには、平行なガイド軸４、４が取り付けられると共に図示しない送りモーターによって回転されるリードスクリュー５が支持されている。
【００３３】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００３４】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されてディスク状記録媒体１００に対する記録動作又は再生動作が行われる。このとき対物レンズ駆動装置８によってフォーカス調整及びトラッキング調整が行われる。
【００３５】
フォーカス調整は、図示しないサーボ回路によって生成されたフォーカスサーボ信号に基づいて対物レンズ駆動装置８のフォーカスコイルにフォーカス駆動電流が供給され、供給されたフォーカス駆動電流の向き及び大きさによって対物レンズ８ａがディスク状記録媒体１００に離接する方向であるフォーカシング方向へ移動されることにより行われる。このフォーカス調整によって対物レンズ８ａを介してディスク状記録媒体１００に照射されるレーザー光のスポットがディスク状記録媒体１００の記録トラックに集光される。
【００３６】
トラッキング調整は、サーボ回路によって生成されたトラッキングサーボ信号に基づいて対物レンズ駆動装置８のトラッキングコイルにトラッキング駆動電流が供給され、供給されたトラッキング駆動電流の向き及び大きさによって対物レンズ８ａがディスク状記録媒体１００の略半径方向であるトラッキング方向へ移動されることにより行われる。このトラッキング調整によって対物レンズ８ａを介してディスク状記録媒体１００に照射されるレーザー光のスポットがディスク状記録媒体１００の記録トラックに追従される。
【００３７】
光ピックアップ６は、図２乃至図４に示すように、発光素子９、反射ミラー１０、ビームスプリッター１１、コリメーターレンズ１３、立ち上げミラー１５、１／４波長板１４、対物レンズ８ａ及び受光素子１６を備えている。
【００３８】
発光素子９は半導体レーザーであり、該発光素子９からは、所定の波長、例えば、約４０５ｎｍ、約６６０ｎｍ又は約７８０ｎｍ等の波長を有するレーザー光がディスク状記録媒体１００へ向けて発光される。
【００３９】
反射ミラー１０は発光素子９から発光されたレーザー光を、例えば、９０°の角度で反射させてビームスプリッター１１へ導く反射手段としての機能を有する。
【００４０】
ビームスプリッター１１は、例えば、往路透過・復路反射型であり、発光素子９から発光されたレーザー光を透過させて立ち上げミラー１５へ導き、ディスク状記録媒体１００で反射されたレーザー光の戻り光を分離面１２で反射させて受光素子１６へ導く機能を有する。
【００４１】
コリメーターレンズ１３は入射されたレーザー光の光束を平行光束にする機能を有する。
【００４２】
１／４波長板１４は入射されたレーザー光の偏光方向を変換する機能を有し、立ち上げミラー１５はレーザー光を反射して対物レンズ８ａ又は１／４波長板１４へ導く機能を有し、対物レンズ８ａは入射されたレーザー光をディスク状記録媒体１００の記録トラックに集光させる機能を有する。
【００４３】
光ピックアップ６にあっては、反射ミラー１０、ビームスプリッター１１、コリメーターレンズ１３、１／４波長板１４、立ち上げミラー１５及び受光素子１６がディスク状記録媒体１００の記録面に沿って配置され、予め定められた最下面Ｓよりディスク状記録媒体１００側に配置されている。
【００４４】
以上のように構成された光ピックアップ６において、発光素子９からレーザー光が発光されると、レーザー光は反射ミラー１０で反射されビームスプリッター１１を透過されてコリメーターレンズ１３によって平行光束とされ、１／４波長板１４によって偏光方向が変換されて立ち上げミラー１５で立ち上げられ対物レンズ８ａを介してディスクテーブル３に装着されたディスク状記録媒体１００の記録面に照射される。ディスク状記録媒体１００の記録面に照射されたレーザー光は、該記録面で反射されて戻り光として再び対物レンズ８ａ、立ち上げミラー１５、１／４波長板１４及びコリメーターレンズ１３を介してビームスプリッター１１に入射される。ビームスプリッター１１に入射された戻り光は、ビームスプリッター１１の分離面１２で反射され、受光素子１６に入射される。受光素子１６に戻り光が入射されると、ＲＦ信号等の各信号が検出されディスク状記録媒体１００に対する情報信号の記録又は再生が行われる。
【００４５】
発光素子９は、図５に示すように、平板状のベース部１７と該ベース部１７に取り付けられた配置部１８とを有し、該配置部１８の内部にレーザー光を発光する発光点が配置されている。
【００４６】
ベース部１７は略小判状に形成され、周縁が平行な２つの長縁部１７ａ、１７ａと該長縁部１７ａ、１７ａ間に連続する円弧部１７ｂ、１７ｂとによって構成されている。
【００４７】
発光素子９は、上記のように、ベース部１７が略小判状に形成されているが、ベース部１７を円形状ではなく小判状に形成することにより光ピックアップ６の薄型化を図ることが可能である。従って、発光素子９はベース部１７の一方の長縁部１７ａが、例えば、移動ベース７の上面と接するか又は近接するように配置される。
【００４８】
光ピックアップ６にあっては、発光素子９から発光されたレーザー光のうち、発光素子９と反射ミラー１０との間の光軸をＰ１とし、反射ミラー１０で反射された直後のレーザー光の光軸をＰ２とすると、発光素子９と反射ミラー１０が一体となって光軸Ｐ２の軸回り方向へ所定の角度回転されている（図５に実線で示す状態）。光軸Ｐ２はディスク状記録媒体１００の記録面に平行とされ、発光素子９の発光点が光軸Ｐ２よりディスク状記録媒体１００に近付く側に位置されるように、図５に示す矢印Ｓ方向へ回転されている。
【００４９】
従って、回転前の状態においては、光軸Ｐ１及び光軸Ｐ２におけるレーザー光の光強度分布の断面形状が図５に破線で示すようにともに垂直方向に広がる形状となる（レーザー光Ｒ１、Ｒ２）が、回転後の状態においては、光軸Ｐ１におけるレーザー光の光強度分布の断面形状が図５に実線で示すように垂直方向に広がる形状のままであるが（レーザー光Ｒ１'）、光軸Ｐ２におけるレーザー光の断面形状が図５に実線で示すように垂直方向に対して傾斜する方向に広がる形状となる（レーザー光Ｒ２'）。
【００５０】
このように光軸Ｐ２におけるレーザー光の断面形状が垂直方向に対して傾斜する方向に広がる形状となるため、ディスク状記録媒体１００の記録面に照射されるレーザー光のスポットＳＰが記録トラックＴの接線方向に対して傾斜する方向へ広がるように形成される（図６参照）。従って、反射ミラー１０から立ち上げミラー１５までの光軸の高さを変えることなく、記録トラックＴに対してレーザー光が所望の強度分布となるようにスポットＳＰを形成することができる。
【００５１】
例えば、レーザー光のスポットＳＰが記録トラックＴの接線方向に対して４５°の方向へ広がるように発光素子９と反射ミラー１０を一体に光軸Ｐ２の軸回り方向へ回転する。
【００５２】
但し、上記のように光軸Ｐ２の軸回り方向へ発光素子９と反射ミラー１０を回転させると、発光素子９の位置が高くなる。従って、光軸Ｐ２を中心とした回転角度θ（図５参照）は、レーザー光の記録トラックＴに対する必要な強度分布と光ピックアップ６の薄型化に際して許容される発光素子９の高さ位置とを考慮して定めればよく、レーザー光の偏光方向の範囲は記録トラックＴの接線方向に対して０°より大きく９０°より小さくなる範囲とされる。
【００５３】
尚、反射ミラー１０においては、レーザー光を直角に反射させる必要はなく、任意の角度で反射させることが可能である。
【００５４】
ディスク状記録媒体１００の記録面上における光強度分布の回転角度は、ディスク状記録媒体１００のフォーマット等によっても、最適な角度が異なる。例えば、発光素子９のパッケージ外形と光ピックアップ６の厚さ方向の制約等により、３０°しか主光線入射面が回転できない場合には、必要な回転角がトラック方向を基準として、３０°以下であれば、上記の手法のみでよいが、必要な回転角が、例えば、４５°といった場合には、立上げミラー１５への入射方位を２０°とし、主光線入射面回転角を２５°としてもよい。
【００５５】
また、光ピックアップ６の厚さ方向の制約だけでなく、投影面積方向の外形形状制約を考慮して、光学部品を配置可能なエリアに効率的に部品を配置することが可能となる。例えば、レーザー光の立ち上げミラー１５への入射方向と反射ミラー１０への入射方向との組み合わせにより、図７乃至図１０に示すように、発光素子９をディスク状記録媒体１００の外周側又は内周側の適宜の位置に配置することが可能である。
【００５６】
尚、図７は、主光線入射面を４５°回転させた場合を概念的に示す図であり、図８は、主光線入射面を２５°回転させ立上げミラー１５への入射方位を２０°とした場合を概念的に示す図である。
【００５７】
さらに、光軸Ｐ２の軸回り方向へ発光素子９と反射ミラー１０を一体に回転させた状態において、図１１に示すように、ホルダ１９に配置するようにしてもよい。
【００５８】
このように発光素子９と反射ミラー１０を一体に回転させた状態でホルダ１９に配置することにより、レーザー光の光軸調整の容易化を図ることができる。尚、必要に応じてホルダ１９を回転させて回転角度の調整を行うことも可能である。また、光軸調整の際にホルダ１９のＸＹ調整に合わせて、回転調整を使用してもよい。
【００５９】
以上に記載した通り、ディスクドライブ装置１にあっては、反射ミラー１０で反射された直後のレーザー光の光軸Ｐ２又は該光軸Ｐ２に平行な線分Ｌの軸回り方向へ発光素子９と反射ミラー１０を一体にして所定の角度回転させているため、反射ミラー１０から立ち上げミラー１５までの光軸の高さを上げず光ピックアップ６の薄型化に支障を来たすことなくディスク状記録媒体１００の記録トラックＴに対するレーザー光の所望の強度分布を確保することができる。
【００６０】
また、ディスク状記録媒体１００の記録トラックＴに対するレーザー光の所望の強度分布を確保することができるため、光ピックアップ６の移動ベース７に配置される各光学部品の配置に関する自由度の向上を図ることができる。
【００６１】
さらに、発光素子９と反射ミラー１０を光軸Ｐ２の軸回り方向へ回転させたときには、反射ミラー１０から立ち上げミラー１５までの光軸の高さが変更されず、大幅な設計変更を来たすことなく記録トラックＴに対するレーザー光の所望の強度分布を確保することができる。
【００６２】
尚、上記には、レーザー光を発光する発光点のみを有する発光素子９を例として説明したが、発光素子は発光部の他に受光部を有する所謂集積型の素子（受発光素子）であってもよい。
【００６３】
例えば、図１２に示すように、受発光素子２０を用い、該受発光素子２０の発光点から出射されディスク状記録媒体１００で反射されたレーザー光を受発光素子２０の受光点で受光させるように構成してもよい。
【００６４】
受発光素子２０を用いた場合には、光ピックアップ６の部品点数の低減や一層の薄型化を図ることができる。
【００６５】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６６】
【図１】図２乃至図１１と共に本発明を実施するための最良の形態を示すものであり、本図はディスクドライブ装置の概略斜視図である。
【図２】図３及び図４と共に光ピックアップの構成を示すものであり、本図は、概略側面図である。
【図３】概略平面図である。
【図４】図２とは別の方向から見た状態で示す概略側面図である。
【図５】発光素子と反射ミラーを回転させるときの一例を示す斜視図である。
【図６】ディスク状記録媒体の記録トラックとレーザー光のスポットの位置関係を示す概念図である。
【図７】図８乃至図１０と共に各光学部品の配置例を示すものであり、本図は発光素子がディスク状記録媒体の内周側に配置された例を示す概念図である。
【図８】図７とは別の例として、発光素子がディスク状記録媒体の内周側に配置された例を示す概念図である。
【図９】発光素子がディスク状記録媒体の外周側に配置された例を示す概念図である。
【図１０】図９とは別の例として、発光素子がディスク状記録媒体の外周側に配置された例を示す概念図である。
【図１１】発光素子と反射ミラーがホルダに配置された例を示す側面図である。
【図１２】受発光素子を有する光ピックアップの一例を示す概念図である。
【図１３】発光素子の形状を説明するための拡大斜視図である。
【図１４】従来の光ピックアップの例を示す概略側面図である。
【符号の説明】
【００６７】
１００…ディスク状記録媒体、１…ディスクドライブ装置、３…ディスクテーブル、６…光ピックアップ、７…移動ベース、８ａ…対物レンズ、９…発光素子、１０…反射ミラー（反射手段）、１６…受光素子、１９…ホルダ
【図１】
2006073156.tif 000003
【図２】
2006073156.tif 000004
【図３】
2006073156.tif 000005
【図４】
2006073156.tif 000006
【図５】
2006073156.tif 000007
【図６】
2006073156.tif 000008
【図７】
2006073156.tif 000009
【図８】
2006073156.tif 000010
【図９】
2006073156.tif 000011
【図１０】
2006073156.tif 000012
【図１１】
2006073156.tif 000013
【図１２】
2006073156.tif 000014
【図１３】
2006073156.tif 000015
【図１４】
2006073156.tif 000016